(57)【要約】【課題】揮散体同士の付着を抑制し、薬液をうまく揮散することが可能な薬剤揮散器を提供する。【解決手段】本発明に係る薬剤揮散器は、上部に開口を有する容器と、前記容器に収容される薬液と、先端部が前記開口から突出するように前記容器に挿入される、複数の棒状の揮散体と、を備え、前記複数の揮散体は、少なくとも一部が曲がっている第１揮散体を少なくとも１つ含んでいる。【選択図】図２
2020000432.tif 000002
【特許請求の範囲】
【請求項１】
上部に開口を有する容器と、
前記容器に収容される薬液と、
先端部が前記開口から突出するように前記容器に挿入される、複数の棒状の揮散体と、
を備え、
前記複数の揮散体は、少なくとも一部が曲がっている第１揮散体を少なくとも１つ含んでいる、薬剤揮散器。
【請求項２】
複数の前記第１揮散体を有しており、
前記各第１揮散体の重心と、当該各第１揮散体の一端部との距離は、前記複数の第１揮散体ごとに相違している、請求項１に記載の薬剤揮散器。
【請求項３】
前記容器は、
底壁部と、
前記底壁部の周縁から上方に延びる第１周壁部と、
前記周壁部の上端から上方にいくにしたがって拡径する第２周壁部と、
を備え、
前記容器に挿入された前記複数の揮散体は、前記第２周壁部に接するように構成されている、請求項１または２に記載の薬剤揮散器。
【請求項４】
前記底壁部と前記第１周壁部とのなす角が、９０度未満である、請求項３に記載の薬剤揮散器。
【請求項５】
前記底壁部は、当該底壁部の内壁面の周縁から中央に向かって隆起する隆起部を有している、請求項３または４に記載の薬剤揮散器。
【請求項６】
前記第１揮散体の少なくとも１つは、棒状に延びる本体部と、当該本体部から枝分かれした少なくとも１つの枝部と、を有している、請求項１から５のいずれかに記載の薬剤揮散器。
【請求項７】
全ての前記揮散体が、前記第１揮散体で構成されている、請求項１から６のいずれかに記載の薬剤揮散器。
【請求項８】
前記複数の揮散体は、棒状に延びる本体部と、当該本体部から枝分かれした少なくとも１つの枝部と、を有する第２揮散体を少なくとも１つ含んでいる、請求項１から６のいずれかに記載の薬剤揮散器。
【発明の詳細な説明】
【技術分野】
【０００１】
本発明は、薬剤揮散器に関する。
【背景技術】
【０００２】
従来より、種々の形態の芳香装置が提案されており、例えば、特許文献１には、上部に開口を有する容器に、液状の薬剤を収容し、さらに容器の開口から複数の棒状の揮散体を挿入して薬剤に浸した薬剤揮散器が開示されている。この薬剤揮散器では、薬剤が棒状の揮散体を伝い、そして外部に揮散することで、芳香効果を得ている。
【先行技術文献】
【特許文献】
【０００３】
【特許文献１】特開２０１１−４８６７号公報
【発明の概要】
【発明が解決しようとする課題】
【０００４】
しかしながら、上記のような薬剤揮散器では、棒状の揮散体を用いているため、吸収した薬液によって揮散体の表面が濡れ、表面張力によって揮散体同士が全長に亘って付着するおそれがある。このように揮散体同士が全長に亘って付着すると、揮散体における薬液を揮散できる表面積が小さくなるため、薬液をうまく揮散できないおそれがある。本発明は、上記問題を解決するためになされたものであり、揮散体同士の付着を抑制し、薬液をうまく揮散することが可能な薬剤揮散器を提供することを目的とする。
【課題を解決するための手段】
【０００５】
本発明に係る薬剤揮散器は、上部に開口を有する容器と、前記容器に収容される薬液と、先端部が前記開口から突出するように前記容器に挿入される、複数の棒状の揮散体と、を備え、前記複数の揮散体は、少なくとも一部が曲がっている第１揮散体を少なくとも１つ含んでいる。
【０００６】
この構成によれば、次の効果を得ることができる。揮散体は、薬液を吸収するため、その表面が薬液で濡れる。そのため、例えば、揮散体が直線的に延びるように形成されていると、薬液による表面張力で揮散体同士が全長に亘って付着してしまうおそれがある。その結果、揮散体において薬液を揮散できる表面積が減少し、薬液をうまく揮散できないおそれがある。また、複数の揮散体が付着して束のようになると見た目もよくないという問題がある。これに対して、本発明では、複数の揮散体のうち、少なくとも一部の第１揮散体の一部が曲がるように形成しているため、揮散体同士が全長に亘って付着するのを抑制することができる。その結果、薬液の揮散が抑制されるのを防止することができるとともに、揮散体が束のように付着しがたくなるため、見た目をよくすることもできる。
【０００７】
上記薬剤揮散器においては、複数の前記第１揮散体を有しており、前記各第１揮散体の重心と、当該各第１揮散体の一端部との直線距離は、前記複数の第１揮散体ごとに相違するように構成することができる。
【０００８】
この構成によれば、複数の第１揮散体の重心の位置が、それぞれ相違するため、これらを容器に挿入したときには、同じ方向に倒れるのを防止できる。すなわち、複数の第１揮散体が１つの束のように倒れるのを防止でき、多方向に倒れさせることができる。その結果、複数の第１揮散体がより自然な雰囲気で配置され、インテリア性を向上することができる。
【０００９】
上記薬剤揮散器において、前記容器は、底壁部と、前記底壁部の周縁から上方に延びる第１周壁部と、前記周壁部の上端から上方にいくにしたがって拡径する第２周壁部と、を備えることができ、前記容器に挿入された前記複数の揮散体は、前記第２周壁部に接するように構成することができる。
【００１０】
この構成によれば、第２周壁部が上方にいくしたがって拡径するように延びているため、すなわち、上方へ傾斜するように形成されているため、容器内で倒れた複数の揮散体と、傾斜方向とが概ね同じになる。そのため、容器内で倒れた揮散体を第２周壁部に接触しやすくすることができ、これによって、揮散体と第２周壁部との摩擦が生じやすくなり、揮散体が容器内で動くのを抑制することができる。
【００１１】
上記薬剤揮散器においては、前記底壁部と前記第１周壁部とのなす角を、９０度未満とすることができる。これにより、揮散体が周縁部に保持されやすくなり、容器内で動くのを抑制することができる。
【００１２】
上記薬剤揮散器において、前記底壁部は、当該底壁部の内壁面の周縁から中央に向かって隆起する隆起部を有することができる。
【００１３】
この構成によれば、容器の底壁部の内壁面に、周縁から中央に向かって隆起する隆起部が設けられているため、薬液は、残量が少なくなると底壁部の周縁に溜まっていく。また、この隆起部により、棒状の揮散体において容器内にある端部は、傾斜を下って底壁部の周縁へ移動するため、残りの薬液と接触する。したがって、薬液の残量が少なくなっても、揮散体と薬液とが接触するため、薬液を最後まで使い切ることができる。
【００１４】
上記薬剤揮散器において、前記第１揮散体の少なくとも１つは、棒状に延びる本体部と、当該本体部から枝分かれした少なくとも１つの枝部と、を有することができる。
【００１５】
この構成によれば、枝部によって、揮散体同士が付着するのを抑制することができるため、上述した効果を得ることができる。また、揮散体が、枝部を有することで、植物のような風合いを醸し出すことができ、インテリア性を向上することができる。
【００１６】
上記薬剤揮散器においては、全ての前記揮散体を、前記第１揮散体で構成することができる。これにより、揮散体同士が全長に亘って付着するのをさらに防止することができる。
【００１７】
上記薬剤揮散器において、前記複数の揮散体は、棒状に延びる本体部と、当該本体部から枝分かれした少なくとも１つの枝部と、を有する第２揮散体を少なくとも１つ含むことができる。
【発明の効果】
【００１８】
本発明に係る薬剤揮散器によれば、揮散体同士の付着を抑制し、薬液をうまく揮散することができる。
【図面の簡単な説明】
【００１９】
【図１】本発明の一実施形態に係る薬剤揮散器の斜視図である。
【図２】図１の断面図である。
【図３】本発明の一実施形態に係る薬剤揮散器の他の例を示す断面図である。
【図４】本発明の一実施形態に係る薬剤揮散器の他の例を示す断面図である。
【図５】図１の薬剤揮散器に用いられる揮散体の正面図である。
【図６】図１の薬剤揮散器の使用状態を示す断面図である。
【図７】揮散体に対する薬液の付着を説明する図である。
【図８】本発明の揮散体の他の例を示す正面図である。
【図９】本発明の揮散体の他の例を示す正面図である。
【発明を実施するための形態】
【００２０】
以下、本発明に係る薬剤揮散器を芳香剤の揮散器に適用した場合の一実施形態について図面を参照しつつ説明する。図１は本実施形態に係る薬剤揮散器の斜視図、図２は図１の断面図である。
【００２１】
＜１．薬剤揮散器の概要＞
図１及び図２に示すように、この薬剤揮散器は、上部に開口を有する容器１と、この容器１に収容される薬液と、この容器１に挿入される棒状の揮散体２とで、構成されている。以下、これらの部材について詳細に説明する。
【００２２】
＜１−１．容器＞
図１及び図２に示すように、容器１は、円形の底壁部１１と、この底壁部１１の周縁から上方にいくにしたがってテーパ状に外径が小さくなる第１周壁部１２と、第１周壁部１２の上端から上方にいくにしたがってテーパ状に外径が大きくなるように延びる第２周壁部１３とで構成されている。すなわち、この容器１の内部空間は、底壁部１１から上方に向かって内径が小さくなり、第１周壁部１２と第２周壁部１３との連結部分で内径が最も小さくなった後、第２周壁部１３において上方にいくにしたがって内径が大きくなるように形成されている。そして、第２周壁部１３の上端には、円形の開口１４が形成されており、この開口１４が内部空間に通じている。但し、開口１４の縁部の外径は、底壁部１１の外径よりも小さくなっている。
【００２３】
容器１の高さは、特には限定されないが、例えば、５ｃｍ以上が好ましく、７ｃｍ以上がさらに好ましい。一方、上限としては、３０ｃｍ以下が好ましく、２０ｃｍ以下がさらに好ましく、１５ｃｍ以下がより好ましく、１２ｃｍ以下が特に好ましい。また、開口１４の内径は、容器１や揮散体２の大きさによって適宜設定できるため、特には限定されないが、例えば、揮散体２の長さが８〜２０ｃｍ、容器１の高さが５〜１５ｃｍの場合には、１〜５ｃｍ程度が好ましく、１．５〜３．５ｃｍ程度がさらに好ましい。また、第２周壁部１３の長さは、特には限定されないが、長いと揮散体２との接触面積が大きくなるため、例えば、１〜３ｃｍ程度であることが好ましく、１〜２．５ｃｍ程度がより好ましい。
【００２４】
第１周壁部１２の内壁面と水平方向とのなす角αは、９０度未満であり、８５度未満が好ましく、８０度未満がさらに好ましい。一方、第２周壁部１３の内壁面と水平方向とのなす角度βは、３０〜８０度であることが好ましい。
【００２５】
なお、本実施形態では、図２に示すように、棒状の揮散体２の下端部が、底壁部１１の周縁付近に配置されたとき、上端側が容器１の開口１４の周縁に接するように、容器１が形成されているが（図２の符号２ａ参照）、第１周壁部１２及び第２周壁部１３の傾斜角度によっては、例えば、図３に示すように、揮散体２の上端側が、第１周壁部１２と第２周壁部１３との連結部分に接したり、あるいは図４に示すように、揮散体２の上端側が、第２周壁部１３の概ね全体に亘って接することがあり、揮散体２はより動きにくくなる。また、第２周壁部１３の接線上に底壁部１１の周縁部があると、さらに揮散体２の動きを抑制することができる。いずれにしても、インテリア性の観点から、揮散体２が容器１の中で傾斜する最大角度θ（図３参照）は、垂直線Ｎから１０度以上が好ましく、１５度以上がさらに好ましく、２０度以上が特に好ましい。一方、傾斜しすぎるとインテリア性が損なわれることから、傾斜の最大角度θは６０度以下が好ましく、５０度以下がさらに好ましい。
【００２６】
図２に示すように、底壁部１１の内壁面は、平面視が円形状であり、その周縁から中央に向かって隆起するドーム状の隆起部１１１が形成されている。すなわち、底壁部１１の内壁面は、中央が盛り上がり、周縁にいくにしたがって、高さが低くなっている。また、隆起部１１１の傾斜面の角度γは、後述するように、揮散体２を滑りやすくするため、例えば、２〜１５度にすることができる。なお、隆起部１１１が曲面状に傾斜している場合には、図２に示すように、傾斜角γは、隆起部１１１の基端部（隆起部１１１と第１周壁部１２との交点）における接線と水平方向とのなす角度になる。なお、この傾斜角γは、隆起部１１１のすべての部分で上記範囲の角度である必要はなく、いずれかの部分で上記範囲の角度の傾斜面が形成されていればよい。
【００２７】
以上のような容器１は、ガラス、プラスチックなど種々の材料で形成することができるが、ガラスで形成すると、後述するように、揮散体２が滑りやすくなり、好ましい。
【００２８】
＜１−２．薬液＞
また、この容器１に収容される薬液４は、芳香剤、消臭剤、アロマオイルなど揮散体２に含浸され、これを伝って外部に揮散するような薬剤全般を用いることが可能である。
【００２９】
＜１−３．揮散体＞
次に、揮散体２について、図５も参照しつつ説明する。図５は揮散体の正面図である。揮散体２は、容器１の開口１４から挿入されるものであり、薬剤を吸収し、揮散できる材料で形成されている。このような材料としては、例えば、多孔質の樹脂材料、ドライフラワーなどの植物を用いることができる。植物としては、ピジョンピー、しだ、柳などを用いることができるが、これに限定されない。例えば、ピジョンピーを用いる場合には、自然のピジョンピーに対し、乾燥、漂白、乾燥の順で処理を施した後、これを所定の長さに切断することで、揮散体として利用することができる。
【００３０】
図５に示すように、揮散体２は、棒状に形成されているが、直線状に延びているのではなく、少なくとも一部が曲がっていればよく、全体的にくねくねと曲がっていると、本発明の効果を発揮しやすく好ましい。図１及び図２に示す複数の揮散体２は、それぞれ、一または複数の曲線が組み合わされた軸線を有している。また、複数の揮散体２のいくつかは、棒状に延びる本体部２１と、この本体部２１から枝分かれする少なくとも一つの枝部２２とを有している。本体部２１は、上述したように、少なくとも一つの曲線が組み合わされた軸線を有している。
【００３１】
また、各揮散体２の径も、それぞれ相違しており、さらに、一つの揮散体２においても、一定の径を有するのではなく、径が軸方向に沿って変化するように形成されているものが含まれている。
【００３２】
このように構成された複数の揮散体２は、上記のように曲がっていたり、径が相違するため、図５に示すように、一端部Ａからの重心Ｇまでの位置が、それぞれ相違している。
【００３３】
揮散体２の長さは、特には限定されないが、例えば、８ｃｍ以上であることが好ましく、１０ｃｍ以上であることがさらに好ましく、１２ｃｍ以上であることが特に好ましい。一方、揮散体２は、４０ｃｍ以下であることが好ましく、３０ｃｍ以下であることがさらに好ましく、２０ｃｍ以下であることが特に好ましい。
【００３４】
揮散体２の直径は特には限定されないが、細いと揮散体２が軽くなり、後述するように薬液４による表面張力で揮散体２同士が付着しやすい。また、薬液の吸収量が低下するおそれがある。一方、揮散体２が太すぎると、まとめて持ちにくくなる。このような観点から、揮散体２の直径は、例えば、０．５ｍｍ以上であることが好ましく、０．８ｍｍ以上であることがさらに好ましく、１ｍｍ以上であることが特に好ましい。一方、揮散体２の直径は、６ｍｍ以下であることが好ましく、５ｍｍ以下であることがさらに好ましく、３ｍｍ以下であることが特に好ましい。なお、揮散体２の直径とは、最大の直径をいう。
【００３５】
＜２．薬剤揮散器の使用方法＞
次に、上記のように構成された薬剤揮散器の使用方法について、図６も参照しつつ説明する。まず、薬液を開口１４から容器１内に注入する。薬液は予め容器１に収容されているのではなく、別の薬液容器（図示省略）に密閉された状態で保存され、使用時に容器１に移す。続いて、複数の揮散体２を容器１の開口１４から挿入し、薬液に浸す。これにより、薬液が揮散体２を伝って、上方に移動しつつ外部へと揮散していく。こうして、薬液による芳香効果、消臭効果などを得ることができる。
【００３６】
そして、薬液が揮散され続けると、容器１内の薬剤が減少していくが、容器１の底壁部１１における内壁面には隆起部１１１が形成されているため、使用末期には、薬液は、隆起部１１１の傾斜を伝って内壁面の周縁に移動する。したがって、図６に示すように、残量が少なくなった薬液は、内壁面の周縁付近に溜まることになる。また、揮散体２の下端部は、隆起部１１１の傾斜面上を滑り、内壁面の周縁へと移動する。これにより、揮散体２の下端部が薬液に接触するため、残量が少なくなっても薬液と揮散体２とは接触状態を維持することができる。そのため、薬液を最後まで使い切ることができる。
【００３７】
＜３．特徴＞
本実施形態に係る薬剤揮散器によれば、次の効果を得ることができる。
（１）揮散体２は、薬液を吸収するため、その表面が薬液で濡れる。そのため、例えば、図７（ａ）に示すように、揮散体２が直線的に延びるように形成されていると、薬液４による表面張力で揮散体２同士が概ね全長に亘って付着してしまい、薬液４をうまく揮散できないおそれがある。また、複数の揮散体２が付着して束のようになると見た目もよくないという問題がある。これに対して、図７（ｂ）に示すように、本実施形態に係る揮散体２は、複数の揮散体２が、それぞれ曲がって延びているため、揮散体２同士が全長に亘って、薬液４により付着するのを抑制することができる。その結果、薬液４の揮散が抑制されるのを防止することができるとともに、揮散体２が束のように付着しがたくなるため、見た目をよくすることもできる。
【００３８】
（２）図５に示すように、複数の揮散体２は、それぞれ一端部からの重心Ｇの位置が相違するため、これらを容器１に挿入したときには、同じ方向に倒れるのを防止できる。すなわち、複数の揮散体２が１つの束のように倒れるのを防止でき、多方向に倒れさせることができる。また、複数の揮散体２が曲がっていることで、揮散体２と容器１の底壁部１１との接触点が各揮散体２ごとに異なることで同じ方向に倒れることをより抑制することができる。その結果、複数の揮散体２がより自然な雰囲気で配置され、インテリア性を向上することができる。
【００３９】
（３）複数の揮散体２の中には、枝部２２を有するものが含まれているが、枝部２２によって、揮散体２同士が全長に亘って付着するのを抑制することができるため、上述した効果を得ることができる。また、枝部２２によって揮散体２の重心Ｇの位置も変化させることができ、多方向に倒れさせることができる。さらに、揮散体２が、枝部を有することで、植物のような風合いを醸し出すことができ、インテリア性を向上することができる。
【００４０】
（４）容器１の第２周壁部１３が上方にいくしたがって拡径するように延びているため、容器１内で倒れた複数の揮散体２と、第２周壁部１３の傾斜方向とが概ね同じになる。そのため、容器１内で倒れた揮散体２を第２周壁部１３に接触しやすくすることができる、これによって、揮散体１と第２周壁部１３との摩擦が生じやすくなる。その結果、揮散体２が容器１内で動くのを抑制することができる。
【００４１】
＜４．変形例＞
以上、本発明の一実施形態について説明したが、本発明はこれに限定されるものではなく、その趣旨を逸脱しない限りにおいて種々の変更が可能である。なお、以下の変形例は、１つ以上を適宜組み合わせることができる。
【００４２】
＜４−１＞
上記実施形態では、すべての揮散体２が、曲がった部分を有しているが、少なくとも一つの揮散体２を曲がったものとすることもできる。したがって、他の揮散体は、直線状に延びる揮散体であってもよい。このような曲がった部分を有する揮散体が本発明の第１揮散体に相当する。また、第１揮散体の中に、少なくとも一つの枝部を有する揮散体が１つ以上含まれていてもよい。
【００４３】
また、揮散体２の曲がった部分の構成は、特には限定されず、上記のような曲線の組み合わせのほか、図８に示すように、直線状に曲がった部分を有するものでもよい。すなわち、図８（ａ）に示すように、角部を有する突部が中間部に形成されているもの、図８（ｂ）に示すように、矩形状の突部が中間部に形成されているもの、図８（ｃ）に示すように、中間部が鈍角をなして曲がっているものを挙げることができる。このように、本発明に係る揮散体は、曲線状、直線状に曲がった部分を少なくとも一つ有していればよい。
【００４４】
＜４−２＞
曲がった揮散体だけではなく、図９に示すように、枝部２２を有する揮散体２が１つ以上含まれていてもよい。すなわち、枝部２２を有しているのであれば、本体部２１及び枝部２２が直線状であってもよい。このような構成でも、揮散体どうしの付着を防止することができる。なお、このような枝部２２を有する揮散体２は、本発明に係る第２揮散体に相当する。
【００４５】
＜４−３＞
上記実施形態では、容器が、異なる角度で傾斜する２つの周壁部を有しているが、これに限定されない。例えば、３以上の異なる傾斜角度の周壁部を連結してもよいし、円錐台状に形成してもよい。あるいは、周壁が傾斜しない円筒状、多角形状に形成することもできる。
【００４６】
また、容器１の底面部は、円形のほか、楕円、多角形状でもよい。また、隆起部１１１の形態もドーム状以外も可能であり、多角錐状でもよく、頂部が曲面でなく、鋭利であってもよい。あるいは、隆起部を設けず、平坦であってもよい。
【符号の説明】
【００４７】
１  容器
１１  底壁部
１１１  隆起部
１２  周壁部
１４  開口
２  揮散体
【図１】
2020000432.tif 000003
【図２】
2020000432.tif 000004
【図３】
2020000432.tif 000005
【図４】
2020000432.tif 000006
【図５】
2020000432.tif 000007
【図６】
2020000432.tif 000008
【図７】
2020000432.tif 000009
【図８】
2020000432.tif 000010
【図９】
2020000432.tif 000011